(57)【要約】   画像表示装置（１６）は、第１オブジェクト（１２）の位置を含むデータを受信し、第２オブジェクト（２２）の位置を含むデータを受信するための受信手段（２６，２４，１０）、第１画像と第２画像とを表示するための表示手段、及び前記第１画像を前期第１オブジェクトの位置へ方向付け、前記第２画像を前記第２オブジェクトの位置へ方向付けるための方向付け手段を有する。
2005512374.tif 000002
【特許請求の範囲】
【請求項１】
第１オブジェクトの位置を含むデータを受信し、第２オブジェクトの位置を含むデータを受信し、第１画像を前記第１オブジェクトの位置へ方向付け、第２画像を前記第２オブジェクトの位置へ方向付けることを特徴とする画像表示方法。
【請求項２】
前記第１画像と前記第２画像とは同時に表示されることを特徴とする請求項１記載の方法。
【請求項３】
前記第１、第２又は各オブジェクトに対して問い合わせを行い、これに応じて前記第１、第２又は各画像を選択することを特徴とする請求項１又は２記載の方法。
【請求項４】
前記第１、第２又は各オブジェクトからフィードバックを受信し、これに応じて前記第１、第２又は各画像を選択することを特徴とする請求項１乃至３いずれかに記載の方法。
【請求項５】
前記第１、第２又は各画像が３次元画像に相当することを特徴とする請求項１乃至４のいずれかに記載の方法。
【請求項６】
前記第１、第２又は各オブジェクトに対して音声を方向付けることを特徴とする請求項１乃至５いずれかに記載の方法。
【請求項７】
前記第１、第２又は各オブジェクトの位置を検知することを特徴とする請求項１乃至６いずれかに記載の方法。
【請求項８】
第１オブジェクトの位置を含むデータを受信し、第２オブジェクトの位置を含むデータを受信するための受信手段、
第１画像と第２画像とを表示するための表示手段、及び
前記第１画像を前記第１オブジェクトの位置へ方向付け、前記第２画像を前記第２オブジェクトへ方向付けるための方向付け手段を有する画像表示装置。
【請求項９】
前記表示手段は前記第１画像と前記第２画像とを同時に表示することを特徴とする請求項８記載の装置。
【請求項１０】
前記第１、第２又は各オブジェクトと交信するための交信手段をさらに有することを特徴とする請求項８又は９記載の装置。
【請求項１１】
前記第１、第２又は各オブジェクトに対して音声を方向付けるための音声再生手段をさらに有することを特徴とする請求項８乃至１０いずれかに記載の装置。
【請求項１２】
前記方向付け手段は水晶体レンズアレイに相当することを特徴とする請求項８乃至１１いずれかに記載の装置。
【請求項１３】
前記第１、第２又は各オブジェクトの位置を検知するための検知手段をさらに有することを特徴とする請求項８乃至１２いずれかに記載の装置。
【発明の詳細な説明】
【技術分野】
【０００１】
本発明は画像を表示する装置及び方法に関し、特に、第１オブジェクトの位置を含むデータを受信し、第２オブジェクトの位置を含むデータを受信し、第１画像をこの第１オブジェクトの位置へ方向付け、第２画像をこの第２オブジェクトの位置へ方向付ける技術に関する。
【背景技術】
【０００２】
不特定多数の人々を対象に宣伝画像を看板などに表示する方法が従来から知られている。しかしこのような宣伝は見境なく、これをみる大半の人々は、この宣伝に対して何の関心ももたない。これに対して、より個人的な宣伝を提供する方法として、人々が持ち運ぶ携帯機器などに画像を提供する方法がある。例えば、ユーザの携帯電話に新製品の詳細情報などを配信することなどが可能である。しかし、現在の携帯電話の表示機能は基本的な機能に限られていて、きわめて単純な宣伝でなければ表示することができない。
【発明の開示】
【発明が解決しようとする課題】
【０００３】
よって本発明は、ユーザへの画像提供方法を改善し、複数のユーザへの複数画像の提供を容易且つ効率的に実現することを目的とする。
【課題を解決するための手段】
【０００４】
本発明の第１仕様においては、第１オブジェクトの位置を含むデータを受信し、第２オブジェクトの位置を含むデータを受信し、第１画像を前記第１オブジェクトの位置へ方向付け、第２画像を前記第２オブジェクトの位置へ方向付ける画像表示方法を提供する。
【０００５】
本発明の第２仕様においては、第１オブジェクトの位置を含むデータを受信し、第２オブジェクトの位置を含むデータを受信するための受信手段、第１画像と第２画像とを表示する表示手段、及び前記第１画像を前記第１オブジェクトの位置へ方向付け、前記第２画像を前記第２オブジェクトの位置へ方向付けるための方向付け手段を有する画像表示装置を提供する。
【０００６】
本発明によると、第１オブジェクトへ方向付けられる第１画像及び第２オブジェクトへ方向付けられる第２画像を表示することが可能であって、携帯機器の表示機能よりも高い表示機能で、ユーザそれぞれに直接画像を提供することが可能となる。よって、ユーザのいる環境において、ユーザの携帯機器における小さなディスプレイではなく大きなスクリーンに宣伝を表示することが可能であり、これにより、この宣伝のより大きな影響力が期待できる。
【０００７】
なお、好適には、この第１画像及び第２画像は同時に表示される。また、好ましくは前記第１、第２又は各オブジェクトと交信するための交信手段が設けられ、この交信手段が前記第１、第２又は各オブジェクトに対して問い合わせを行い（及び／又はフィードバックを受信し）、これに応じて前記第１、第２又は各画像を選択する。さらに好ましくは、前記第１、第２又は各オブジェクトの位置を検知するための検知手段が設けられる。
【０００８】
本発明による装置は、ピクセルを少なくとも２方向に発することが可能なディスプレイを有する。本発明の装置はその範囲内にいるユーザが保持する携帯電話（あるいはこれに類似する機器）の位置を検知する（ＧＰＳあるいはローカル検知によって）。こうして本発明の装置はユーザの位置情報を得て、場合によってはこのユーザのプロフィールにアクセスすることができる。この装置は自らのディスプレイの位置を把握していることから、同ディスプレイから特定ユーザへの方角をも把握することができ、これに基づき同ディスプレイから画像の方向付けを行うことが可能である。その結果この画像はこの特定ユーザに対して配信されうる。また、ユーザのプロフィールがアクセスされた場合は、そのユーザに関係する内容が表示されうる。また、同装置において、同様な操作によりまた別の位置にいる第２のユーザに対して異なる画像を表示することも可能である。
【発明を実施するための最良の形態】
【０００９】
以下において、添付の図面を参照しながら、本発明による実施例を説明する。
【００１０】
図１は、画像表示方法のフローチャートを示す。なお、この図におけるステップ１０２，１０４，１０６、及び１０８がこの方法の主要ステップに相当し、ステップ１００、１１０、１１２、及び１１４は本画像表示方法の機能性を高めるために適用されうる付随的なステップに相当する。
【００１１】
図２において示される画像表示装置８は、第１オブジェクト１２の位置を含むデータを受信する受信手段１０（ステップ１０２）を有する。この第１オブジェクト１２は典型的にはユーザによって保持される携帯電話などに相当する。この第１オブジェクトの位置は周知であるグローバル・ポジショニング・システム（ＧＰＳ）技術などを用いて検知される。
【００１２】
さらにこの装置８は、液晶ディスプレイ（ＬＣＤ）などに相当する第１画像を表示するための表示手段１４を有する。このＬＣＤ表示手段１４は、図３においてより詳細に示されるピクセル１８を有する。また、この表示手段１４の上には水晶体レンズアレイに相当する方向付け手段１６が搭載される。このようなＬＣＤと水晶体レンズアレイの配置は、オートステレオスコーピック・ディスプレイの分野において周知の技術であり、その詳細は例えばここにおいて参照により導入される米国特許ＵＳ−Ａ−６０６４４２４及び米国特許ＵＳ−Ａ−６１１８５８４などに記載されている。
【００１３】
方向付け手段１６は画像をオブジェクト１２の位置へ方向付けるための手段である（ステップ１０６）。例えば、携帯電話を有するユーザが装置８の範囲内にいる場合ＧＰＳなどによって検知される同ユーザ（携帯電話）の位置が受信手段１０によって受信される。これに応じて宣伝看板の構成をとる装置８は、表示手段１４に表示される画像をこのユーザの位置へ方向付け、宣伝をこのユーザに対して提供することができる。
【００１４】
図３に示されるように、表示手段１４上に搭載される水晶体レンズアレイは、個々のピクセル列を外側へ方向付ける。このようなピクセル列の組み合わせは、表示手段１４からある特定の位置でのみ見られる画像を形成する。画像を既知の点に方向付けるためには、個々のピクセルがレンズアレイにおける個々のレンズの背後に配置されるようにピクセルの方位付けが制御される。そしてこれらのピクセルが個々のレンズの湾曲により所望の方向に向けられる。図３では、ユーザ２０は、その位置によって視野１〜４いずれかに対応した表示手段１４からの画像を見ることができる。
【００１５】
受信手段１０は、さらに第２オブジェクト２２の位置を含むデータを受信する（ステップ１０４）。この第２オブジェクト２２も第１オブジェクト１２と同様に携帯電話などに相当しうる。ここで表示手段１４は、第２画像を表示し、方向付け手段１６は、この第２画像を第２オブジェクト２２の位置へ方向付ける（ステップ１０８）。こうして表示手段１４は、第１画像と第２画像とを同時に表示することができる。この操作は図３を参照すると容易に理解することができる。すなわち、装置８では異なる視野１〜４によってそれぞれ異なる画像が表示される構成となっていて、ユーザはその位置によって異なる画像を見ることとなる。
【００１６】
また、この看板は、異なるユーザに異なるメッセージを提供することができる。すなわち大きな表示領域において宣伝を提供することができると同時に特定ユーザに対する個人的な宣伝を提供することができる。これはオブジェクト１２及び２２（場合によっては１つのオブジェクトのみ）と交信するための交信手段２４を有する装置８によって実現される。この交信は典型的には、オブジェクトに対して問い合わせを行い（ステップ１１２）、これに応じてこのオブジェクトに提供する画像を選択するという形をとる。
【００１７】
ユーザの携帯電話に何らかのプロフィール機能が備わっている場合、交信手段２４は問い合わせにおいてブルートゥース規格やその他のＬＡＮ規格などのローカル無線周波数リンクを介してこのプロフィールにアクセスする。例えば看板が旅行の宣伝を提供するようにプログラムされているとする。この場合看板の範囲内にオブジェクトが入ると、交信手段２４がこのオブジェクトに格納されるプロフィールについての問い合わせを行い、オブジェクトのユーザの好みなどについての情報を得る。この操作は例えばユーザが前回訪れた場所などの直接関連情報にアクセスするか、あるいはユーザの音楽や娯楽の趣味などの間接情報にアクセスする操作であってもよい。具体例としては、ユーザが例えば前回アヤ・ナパに旅行したか、あるいは最近ダンスミュージックのＣＤを購入したとの情報が得られた場合、イビザ旅行の宣伝をユーザに向けて配信し表示する画像として選択することが可能である。これに対し、ユーザが前回プラハを訪問したか、あるいは最近オペラのＣＤを購入したとの情報が得られた場合、ウィーン旅行の宣伝をこのユーザに対して配信し表示することが可能である。こうして画像の提示には大型表示画面を使用しつつユーザそれぞれに関連する情報を提供することが可能となる。
【００１８】
また、交信手段２４は、オブジェクト１２及び２２からフィードバックを受信するために用いられることも可能である（ステップ１１４）。これは例えばユーザに見たい宣伝を選択させるためにユーザの携帯電話に対して問い合わせを行うなどの形をとるか、あるいは適切な宣伝を選択するためにユーザの関心について質問するなどの形をとりうる。具体例として、例えばある看板が近くの店のＣＤの宣伝を表示するように設定されているとする。ここでユーザが最新ＣＤシングルリリースの宣伝の表示を希望するか否かについて問い合わせられる。この最初の問い合わせはユーザの携帯電話の表示部に局所的に表示される。ここでユーザがこの問い合わせに対して肯定的な応答を返すと、これに応じた宣伝がユーザの位置に向けて配信され、表示される。また別の例として、ユーザは短い映画の題名リストの中からどの映画を気に入ったかを選択しうる。このリストは同様にユーザの携帯電話の表示部に局所的に表示される。ユーザがこの問い合わせに応答した場合、その選択映画のサウンドトラックＣＤの宣伝がこのユーザに配信され表示されうる。
【００１９】
なお、装置８は２人以上のユーザに対して画像を提供することも可能である。この場合表示手段１４は人数分の画像を保持するのに十分な解像度を有する必要があり、方向付け手段１６は、異なる画像をそれぞれ装置８の範囲内にあるオブジェクトが位置する場所へ方向付けする。
【００２０】
また、装置８によって表示される画像は、その画像の提供対象となるオブジェクトによって利用されうるフィードバック・オプションを含むことが可能である。例えばあるユーザに特定の旅行の宣伝画像が提示されている場合において、この画像は詳細情報を要請するフィードバック・オプションを含むことが可能である。このオプションに対してユーザが反応を示すと、例えばこれに対応する資料がユーザの住所に送られる。また、別の例として、宣伝画像は他の宣伝を見るオプションを含むことができる。ここではユーザが提示された宣伝に関心をもたない場合、他の宣伝を検索し、ユーザにとってより関心のある画像を表示するようにすることが可能である。
【００２１】
また、装置８は、同装置８の範囲内のオブジェクトの位置を検知するための検知手段２６を有する（ステップ１００）。上記検知手段２６は、ブルートゥース規格の短距離無線周波数トランスミッタというかたちをとりうるが、これ以外にも装置８の範囲内における適正オブジェクトの存在を検知する単純なレーダー装置などであってもよい。
【００２２】
また、画像をユーザに対して方向付けると同時に、装置８は認識されたオブジェクトの位置に向けて音声を提供する機能をも有することが可能である（ステップ１１０）。これはオブジェクトの位置へ音声を方向付けることが可能なスピーカ２８などの音声再生手段によって実現される。このようなシステムには超音波干渉により生成される局所音声を含む各所別音声が具備される。したがってユーザに画像を配信するとともにこの画像に関連する音声をオブジェクトの位置に向けて提供することが可能である。画像と同様に音声についても複数のオブジェクトそれぞれに対して異なる音声ストリームを提供することが可能である。
【００２３】
また、表示手段１４は、ユーザの目の平均間隔によって離間し、左右の視野によって入れ替わる一連の画像を生成することにより３次元画像を表示することが可能である。このようにして３次元画像を生成し、この画像をユーザに対して提供することが可能である。前述のように、複数のユーザにそれぞれ異なる３次元画像を提供することが可能であり、この構成の限度は表示手段１４の解像度によって左右される。
【００２４】
なお、画像をユーザの保持するオブジェクトが位置する場所へ方向付ける他の方法としては、モータ付きディスプレイや光学的操縦可能ディスプレイなどを用いる方法がある。画像を方向付ける方向付け手段としては、パララックス・バリア・システムや、ホログラフィ素子アレイ、コリメータ・システム、ピンホール、干渉フィルタ、プリズムなどを用いることが可能である。
【００２５】
また、装置８によってアクセスされるプロフィールは装置８の範囲内に位置するオブジェクトに格納されている必要はなく、オブジェクトあるいはユーザにリンクされるプロフィールが装置８によりアクセス可能であればよい。
【００２６】
よってこのプロフィールは遠隔サーバに格納されていてもよく、この場合装置８は、オブジェクトから受信する情報に基づき、所定識別方法を通してＰこのプロフィールにアクセスできる。
【図面の簡単な説明】
【００２７】
【図１】画像表示方法を示すフローチャートである。
【図２】画像表示装置の概略斜視図である。
【図３】図２の装置の断面及びユーザを示す平面図である。
【図１】
2005512374.tif 000003
【図２】
2005512374.tif 000004
【図３】
2005512374.tif 000005
【国際調査報告】
2005512374.tif 000006
2005512374.tif 000007
2005512374.tif 000008